(57)【要約】【課題】よりシンプルな構成で、複数の撮像装置から次々と出力される画像データを順次記憶するとともに、撮像装置間における画像データの時間差に関する情報も再生時に確認することが可能な記録再生装置を提供する。【解決手段】各撮像装置から入力される画像データを記憶手段に順次記憶する記録モード時では、入力される画像データに、撮像装置識別情報とフレーム番号と当該画像データの入力時刻に基づいた取り込み時刻とを付与して記憶手段に記憶し、記憶手段に記憶されている画像データを読み出して表示手段に表示する再生モード時では、異なる撮像装置識別情報が付与されており且つ同じフレーム番号が付与されている画像データを読み出して表示手段に同時に表示可能であるとともに、当該画像データに付与されている取り込み時刻または当該取り込み時刻に基づいた時間差の少なくとも一方を、表示手段に表示している画像データと同時に表示可能である。【選択図】        図６
2006115152.tif 000002
【特許請求の範囲】
【請求項１】
各々のタイマを基準として所定時間間隔で画像データを出力する複数の撮像装置と、記憶手段と、制御手段とを備えた記録再生装置であって、
制御手段は、
各撮像装置から入力される画像データを記憶手段に順次記憶する記録モード時では、入力される画像データに、撮像装置識別情報とフレーム番号と当該画像データの入力時刻に基づいた取り込み時刻とを付与して記憶手段に記憶し、
記憶手段に記憶されている画像データを読み出して表示出力する再生モード時では、異なる撮像装置識別情報が付与されており且つ同じフレーム番号が付与されている画像データを読み出して同時に表示出力可能であるとともに、当該画像データに付与されている取り込み時刻、または当該取り込み時刻に基づいた時間差の少なくとも一方を、表示出力している画像データと同時に表示出力可能である、
ことを特徴とする記録再生装置。
【請求項２】
各々のタイマを基準として所定時間間隔で画像データを出力する複数の撮像装置と、記憶手段と、表示手段と、制御手段とを備えた記録再生装置であって、
制御手段は、
各撮像装置から入力される画像データを記憶手段に順次記憶する記録モード時では、入力される画像データに、撮像装置識別情報とフレーム番号と当該画像データの入力時刻に基づいた取り込み時刻とを付与して記憶手段に記憶し、
記憶手段に記憶されている画像データを読み出して表示手段に表示する再生モード時では、異なる撮像装置識別情報が付与されており且つ同じフレーム番号が付与されている画像データを読み出して表示手段に同時に表示可能であるとともに、当該画像データに付与されている取り込み時刻、または当該取り込み時刻に基づいた時間差の少なくとも一方を、表示手段に表示している画像データと同時に表示可能である、
ことを特徴とする記録再生装置。
【発明の詳細な説明】
【技術分野】
【０００１】
本発明は、監視システム等、複数の撮像装置からの画像データを記憶及び再生することが可能な記録再生装置に関する。
【背景技術】
【０００２】
近年では、監視システム等、複数の撮像装置（カメラ）から次々と出力される画像データ（例えばデジタルデータ）を、切り換えることなく（ほぼ）同時に記憶するとともに、記憶した画像データを読み出してカメラ毎の画像データを同時に表示することが可能な記録再生装置がある。
例えばこのような記録再生装置を警備用車両に適用して、車両の前方及び後方等、複数の方向の画像データが得られるようにカメラを搭載して、走行しながら複数の方向の画像データを記憶し、必要に応じて再生することで種々の証拠として役立てることが考えられる。
【０００３】
特許文献１に記載の従来技術では、複数のカメラを用い、且つカメラ相互間に同期信号用ケーブルを配線することなく、各カメラからの映像信号を映像切換器で切り換えながら、同期ずれを発生させることなく、複数のモニタへの表示、及び１台のＶＴＲに複数のカメラからの映像信号を録画することが可能な映像信号切換装置が提案されている。この映像信号切換装置では、映像信号を画像信号と同期信号に分離して、当該同期信号を用いて映像信号を切り換えている。
また、特許文献２に記載の従来技術では、同期制御した複数のカメラからの映像信号を、カメラケーブル長の違いによる位相ずれを発生させることなく、同期的に処理することが可能な映像処理システムが提案されている。この映像処理システムでは、１つのカメラからの映像信号の同期信号に、他のカメラからの映像信号の同期信号の位相が一致するように、他のカメラに出力する同期制御信号を発生させている。
なお、特許文献１及び２に記載されている映像信号はアナログ信号である。
【特許文献１】特開平８−９３１３号公報
【特許文献２】特開平９−３７１４１号公報
【発明の開示】
【発明が解決しようとする課題】
【０００４】
複数のカメラからの画像データを記憶して、その後に再生する場合、カメラに対して同期制御信号を出力していない場合では、各々のカメラが各々のタイマを基準として所定時間間隔（例えば１／３０秒間隔）で画像データを出力する。この場合、複数のカメラが画像データの出力を同時に開始することはまず有り得ず、例えば数ｍｓ程度の種々の時間差で画像データの出力を開始する。また、各カメラが全く同じ時を刻むこともまず有り得ず、例えばあるカメラでは１時間を計測すると５９分５９秒かかり、別のカメラでは１時間を計測すると６０分０１秒かかるような場合が発生する。
従って、各カメラからの画像データ間の時間差は、記憶の開始時点はもちろんのこと、記憶を継続している間にも絶えず変動することになる。
この場合、警備用として記憶した画像データを再生して、ある時点にて複数カメラが撮影した画像データを同時に表示して証拠として利用するような場合、各画像データの時間差が重要となる場合が考えられる。
【０００５】
特許文献１に記載の従来技術では、ＶＴＲに録画するので、映像信号から分離した画像信号をＡ／Ｄ変換器でデジタルデータに変換して一時的にメモリに記憶し、メモリのデータをＤ／Ａ変換器でアナログデータに変換してＶＴＲに記憶している。しかし、カメラ間の映像信号の時間差については特に記載されていないため、再生時にカメラ間の画像信号の時間差を知ることはできない、または非常に困難であると推定される。
また、特許文献２に記載の従来技術では、複数のカメラからの映像信号の同期信号の位相が一致するように同期制御信号を発生させるため、カメラ間の画像信号の時間差は、発生させた同期制御信号の時間差で推定できる。しかし、各カメラに同期制御信号を入力するケーブルを接続する必要と、同期制御信号を発生する回路等が必要（カメラも同期制御に対応したカメラが必要）になり、システムが複雑化する。
【０００６】
本発明は、このような点に鑑みて創案されたものであり、よりシンプルな構成で、複数の撮像装置から次々と出力される画像データを順次記憶するとともに、撮像装置間における画像データの時間差に関する情報も再生時に確認することが可能な記録再生装置を提供することを課題とする。
【課題を解決するための手段】
【０００７】
上記課題を解決するための手段として、本発明の第１発明は、請求項１に記載されたとおりの記録再生装置である。
請求項１に記載の記録再生装置は、各々のタイマを基準として所定時間間隔で画像データを出力する複数の撮像装置と、記憶手段と、制御手段とを備えた記録再生装置である。
制御手段は、各撮像装置から入力される画像データを記憶手段に順次記憶する記録モード時では、入力される画像データに、撮像装置識別情報とフレーム番号と当該画像データの入力時刻に基づいた取り込み時刻とを付与して記憶手段に記憶する。
また、記憶手段に記憶されている画像データを読み出して表示出力する再生モード時では、異なる撮像装置識別情報が付与されており且つ同じフレーム番号が付与されている画像データを読み出して同時に表示出力可能であるとともに、当該画像データに付与されている取り込み時刻、または当該取り込み時刻に基づいた時間差の少なくとも一方を、表示出力している画像データと同時に表示出力可能である。
【０００８】
また、本発明の第２発明は、請求項２に記載されたとおりの記録再生装置である。
請求項２に記載の記録再生装置は、各々のタイマを基準として所定時間間隔で画像データを出力する複数の撮像装置と、記憶手段と、表示手段と、制御手段とを備えた記録再生装置である。
制御手段は、各撮像装置から入力される画像データを記憶手段に順次記憶する記録モード時では、入力される画像データに、撮像装置識別情報とフレーム番号と当該画像データの入力時刻に基づいた取り込み時刻とを付与して記憶手段に記憶する。
また、記憶手段に記憶されている画像データを読み出して表示手段に表示する再生モード時では、異なる撮像装置識別情報が付与されており且つ同じフレーム番号が付与されている画像データを読み出して表示手段に同時に表示可能であるとともに、当該画像データに付与されている取り込み時刻、または当該取り込み時刻に基づいた時間差の少なくとも一方を、表示手段に表示している画像データと同時に表示可能である。
【発明の効果】
【０００９】
請求項１に記載の記録再生装置を用いれば、異なる撮像装置識別情報が付与されており且つ同じフレーム番号が付与されている画像データを同時に表示出力可能であるとともに、各々の画像データに付与されている取り込み時刻、または取り込み時刻に基づいた時間差の少なくとも一方を表示出力している画像データと同時に表示出力可能である。このため、記憶した画像データを監視者等が再生した際、撮像装置間における画像データの時間差に関する情報を、再生時に明確に確認することができる。
また、撮像装置に同期制御信号を必要とせず、よりシンプルな構成にすることができる。
【００１０】
また、請求項２に記載の記録再生装置は、請求項１に記載の記録再生装置に対して表示手段を備えている。このため、例えば画像データの記録を行ったその場で、記憶した画像データを再生モードで確認することができるので便利である。また、記録モード時では、例えば記憶している画像データを確認しながら記憶することも可能であるため、便利である。
【発明を実施するための最良の形態】
【００１１】
以下に本発明を実施するための最良の形態を図面を用いて説明する。図１は、本発明の記録再生装置１の構成及び動作を示している。
●［記録再生装置の構成及び動作（図１）］
記録再生装置１は、複数の撮像装置１０ａ及び１０ｂ（例えばＣＣＤカメラであり、以下カメラ１０ａ、カメラ１０ｂと記載する）と、制御手段３０（以下、ＣＰＵ３０と記載する）と、記憶手段４０（例えばHard Disk Drive）と、表示手段５０（例えばＬＣＤモニタ）で構成されている。なお、図１に示す例は、２台の撮像装置で構成した例を示しているが、３台以上の撮像装置で構成してもよい。以下の説明では、２台の撮像装置（カメラ１０ａ、カメラ１０ｂ）を用いた例を説明する。
また、各々のカメラ（１０ａ及び１０ｂ）とＣＰＵ３０との間に、画像データを圧縮する圧縮手段（例えば圧縮用のＩＣ）を設けてもよい。
【００１２】
本実施の形態における記録再生装置１は、録画モードと再生モードとの少なくとも一方のモードにて動作させることが可能である（いずれか一方のモードで動作させることも、双方のモードを同時に動作させることも可能である）。
記録モード時では、カメラ１０ａ及び２０ｂは、所定時間間隔（例えば１／３０秒）で、次々と画像データを出力する。なお、本実施の形態では、カメラが出力する画像データの単位はフレーム単位であってもフィールド単位であってもよいが、以下では「フレーム（コマ）」を画像データの単位（フレーム＝画像データ）として説明する。
なお、本実施の形態では、カメラ１０ａとカメラ１０ｂは互いに非同期、すなわち各々が互いに非同期であり、カメラ１０ａはカメラ１０ａの内部タイマを基準にして所定時間間隔で画像データ（Ｄａ［ｉ］、Ｄａ［ｉ＋１］、Ｄａ［ｉ＋２］・・）をＣＰＵ３０に出力し、カメラ１０ｂはカメラ１０ｂの内部タイマを基準にして所定時間間隔で画像データ（Ｄｂ［ｉ］、Ｄｂ［ｉ＋１］、Ｄｂ［ｉ＋２］・・）をＣＰＵ３０に出力する。
そしてＣＰＵ３０は、入力された画像データを順次記憶手段４０に記憶する。
【００１３】
再生モード時では、ＣＰＵ３０は、記憶手段４０から画像データを読み出し、カメラ毎の画像データを表示手段５０に同時に表示する。図１に示す例では、表示手段５０において、カメラ１０ａからの画像データを表示手段５０の５０ａ部に表示し、カメラ１０ｂからの画像データを表示手段５０の５０ｂ部に表示している。
本実施の形態では、録画モード時において、ＣＰＵ３０が各画像データを記憶手段４０に記憶する際、画像データ毎の取り込み時刻も記憶することで、再生モード時において、表示手段に表示した画像データ間（カメラ１０ａ側の画像データとカメラ１０ｂ側の画像データとの間）の時間差が判別可能となるように表示する。以下、その詳細について説明する。
【００１４】
●［理想状態における画像データの入力状態（図２）］
次に図２を用いて、理想状態における画像データの入力状態について説明する。なお、「理想状態」とは、カメラ１０ａとカメラ１０ｂの内部タイマが完全に同じ間隔で時を刻んでいる場合（カメラ１０ａからの画像データの出力周期Ｔａ＝カメラ１０ｂからの画像データの出力周期Ｔｂ）を示しており、２台のカメラから出力される画像データの時間差（図２中のＴＤ）は、常時同一の時間差である場合をいう。また、以下では「画像データ」を「フレーム」という。
【００１５】
また、以下に説明する本実施の形態では、各フレームの入力時刻に基づいた取り込み時刻を、フレームの入力完了時に設定して説明するが、取り込み時刻をフレームの入力開始時に設定してもよい。なお、取り込み時刻は、ＣＰＵ３０が決定する。
本実施の形態では、カメラ１０ａ、カメラ１０ｂ、ＣＰＵ３０が、各々のタイマを基準として各々が独自の時を刻む状態において、ＣＰＵ３０による時刻を基準としている。本実施の形態では、厳密な絶対時刻での記憶を必要としているわけではなく、カメラ毎のフレーム間（同一フレーム番号のフレーム間）の相対的な時間差に関する情報を記憶すればよいので、ＣＰＵ３０による時刻を基準とすることに、特に問題はない。
なお、図２に示す例では、カメラ１０ａとカメラ１０ｂが理想状態において１／３０秒毎にフレームを出力している状態を示している。また各フレームの上に記載した数字（１、２、３・・）は、各フレームに対してＣＰＵ３０が割り付けたフレーム番号である。
また、カメラから出力されるフレームの周期をフレーム周期Ｔａ（フレーム周期Ｔｂ）と記載する。
【００１６】
理想状態（フレーム周期Ｔａ＝フレーム周期Ｔｂ）においては、２台のカメラから出力されるフレームの相対的な時間差（図２中のＴＤ）は一定である。このため、記憶されたデータの再生時において、カメラ毎の同一フレーム番号のフレームを表示手段５０に同時に表示した場合、その時間差はＴＤ（一定）である。
しかし、複数のカメラを非同期で使用して、フレーム周期を同一出力周期に設定しても、各々のカメラの内部タイマは実際には微妙に「ずれ」を有している場合が多い。また、フレームの出力を開始するタイミングも同時とならない場合が多く、フレームの出力を開始した時点においても「ずれ」を有している場合が多い。従って、フレーム番号毎に、時間差が変動している可能性が高い。
そこで、以下に説明する方法にて記憶及び再生することで、再生時においてフレーム番号毎の時間差を明確に認識できるようにする。
【００１７】
●［フレーム周期Ｔａ＜フレーム周期Ｔｂの場合の記憶方法（図３）］
次に図３を用いて、カメラ１０ａのフレーム周期Ｔａの方が、カメラ１０ｂのフレーム周期Ｔｂよりも短い場合について説明する。
例えば基準となるカメラをカメラ１０ａに設定する。この場合、フレーム周期Ｔａの方がフレーム周期Ｔｂよりも短いため、カメラ１０ａからのフレーム出力タイミングに対して、カメラ１０ｂからのフレーム出力タイミングが徐々に遅れていき、カメラ毎のフレーム間の時間差が徐々に大きくなる。
【００１８】
そこで、基準に設定したカメラ（この場合、カメラ１０ａ）から出力されるフレームに基づいてフレーム番号を割り付け、撮像装置識別情報（どのカメラからのフレームであるかを示す情報であり、以下「カメラ番号」という）と、フレーム番号と、当該フレームの入力時刻に基づいた取り込み時刻（この例では入力が完了した時刻）とを付与したフレームを記憶手段４０に記憶する。
図５（Ａ）は、記憶手段４０に記憶しているフレームの例を示している。記憶手段４０に記憶しているフレームは、カメラから入力されたフレーム（画像データ）にヘッダ情報を付与して記憶されている。このヘッダ情報に、上記のカメラ番号、フレーム番号、取り込み時刻とが含まれている。
【００１９】
図３に示す例では、フレーム周期Ｔｂの方がフレーム周期Ｔａよりも長いため、カメラ毎にフレームの先頭から順にフレーム番号を１、２、３・・と割り付けていくと、ある時点からカメラ１０ｂからのフレームが、カメラ１０ａからのフレームに対して、１周期以上遅れた時間差となる。図３の例では、カメラ１０ｂからのフレーム番号１１（補正前）が、当該時点に相当する。
この場合、カメラ１０ｂのフレーム番号１１（補正前）を、カメラ１０ｂのフレーム番号１２（補正後）に補正する。
従って、この場合、カメラ１０ｂからのフレーム番号１１に相当するフレームが存在しなくなるが、フレーム自体がなくなるわけではないので、特に実質的な問題はない。
【００２０】
なお、図３に示す状態において、上記のヘッダ情報を付与して各フレームを記憶していった場合、ヘッダ情報の内容を一覧にすると、図５（Ｂ）に示すフレーム一覧４０ａとなる。フレーム一覧４０ａは、特に記憶手段４０に記憶する必要はなく（もちろん、記憶してもよい）、説明のために示したものである。
また、フレーム一覧４０ａにおける取り込み時刻において、例えば最上段の取り込み時刻は、１３ｈ（時）４５ｍ（分）１２ｓ（秒）０３４ｍｓ（ｍｓｅｃ）という時刻を示している。
なお、図５（Ｂ）に示すフレーム一覧４０ａの例では、フレーム毎に時間差も示しているが、例えば時間差は同一フレーム番号において、「カメラ１０ｂ側取り込み時刻」−「カメラ１０ａ側取り込み時刻」にて求めることができる。
【００２１】
●［フレーム周期Ｔａ＞フレーム周期Ｔｂの場合の記憶方法（図４）］
次に図４を用いて、カメラ１０ａのフレーム周期Ｔａの方が、カメラ１０ｂのフレーム周期Ｔｂよりも長い場合について説明する。
例えば基準となるカメラをカメラ１０ａに設定する。この場合、フレーム周期Ｔａの方がフレーム周期Ｔｂよりも長いため、カメラ１０ａからのフレーム出力タイミングに対して、カメラ１０ｂからのフレーム出力タイミングが徐々に進んでいき、カメラ毎のフレーム間の時間差が徐々に大きくなる。
【００２２】
そこで、基準に設定したカメラ（この場合、フレーム番号の割り付け開始時点ではカメラ１０ａ）から出力されるフレームに基づいて、まずフレーム番号を割り付けていく。
そして図３の説明と同様に、カメラ番号と、フレーム番号と、当該フレームの入力時刻に基づいた取り込み時刻（この例では入力が完了した時刻）とを付与したフレームを記憶手段４０に記憶する。記憶手段４０に記憶しているフレームの形態は、図５（Ａ）に示す形態である。
【００２３】
また、図４に示す例では、フレーム周期Ｔｂの方がフレーム周期Ｔａよりも短いため、カメラ毎にフレームの先頭から順にフレーム番号を１、２、３・・と割り付けていくと、ある時点ではカメラ１０ａのフレーム周期１周期の中に、カメラ１０ｂからのフレームが２つ（２つのフレームの取り込み時刻タイミング（入力が完了したタイミング））存在する場合が発生する。図４の例では、カメラ１０ｂからのフレーム番号５及び６が、当該時点に相当する。
ここで、カメラ１０ｂのフレーム番号６のフレームの取り込み時刻タイミング（入力が完了したタイミング）にて、基準に設定するカメラをカメラ１０ａからカメラ１０ｂに修正する（図４中の「基準（２点鎖線）」を参照）。これにより、フレーム番号１〜５まではカメラ１０ａが基準に設定されており、フレーム番号５には、それぞれ１つずつのフレームが対応している。
そしてフレーム番号６以降では、カメラ１０ｂが基準となるように、基準を修正する。
【００２４】
また、カメラ１０ａのフレーム番号１４（補正前）の部分では、図３の例におけるカメラ１０ｂのフレーム番号１１と同じ現象（時間差がフレーム周期１周期以上）が発生している。
この場合、カメラ１０ａのフレーム番号１４（補正前）を、カメラ１０ａのフレーム番号１５（補正後）に補正する。
従って、この場合、カメラ１０ａからのフレーム番号１４に相当するフレームが存在しなくなるが、フレーム自体がなくなるわけではないので、特に実質的な問題はない。
【００２５】
なお、図４に示す状態において、上記のヘッダ情報を付与して各フレームを記憶していった場合、ヘッダ情報の内容を一覧にすると、図５（Ｃ）に示すフレーム一覧４０ｂとなる。フレーム一覧４０ｂは、特に記憶手段４０に記憶する必要はなく（もちろん、記憶してもよい）、説明のために示したものである。
なお、図５（Ｃ）に示すフレーム一覧４０ｂにおける時間差は、基準に設定するカメラを変更しても、時間差＝「カメラ１０ｂ側取り込み時刻」−「カメラ１０ａ側取り込み時刻」であることに変わりはない。従って、フレーム番号６以降では、時間差が−（マイナス）となっている。
その他の点については、フレーム一覧４０ａにて説明した内容と同じであるので説明を省略する。
【００２６】
●［表示手段への表示の例（図６）］
次に図６に、再生モード時における表示手段５０への表示の例を示す。
再生モード時では、ＣＰＵ３０は、記憶手段４０に記憶されている画像データを読み出して、異なるカメラ番号が付与されており且つ同じフレーム番号が付与されている画像データを表示手段５０に同時に表示可能であるとともに、当該画像データに付与されている取り込み時刻、または当該取り込み時刻に基づいた時間差の少なくとも一方を、表示手段５０に表示している画像データと同時に表示可能である。
【００２７】
例えば図３の例に示す状態において、各フレームにカメラ番号とフレーム番号と取り込み時刻とを付与して記憶手段４０に記憶し、利用者が再生モードを動作させて、「（時刻）１３ｈ４５ｍ１２ｓ１９０ｍｓ」と指定する。
すると、記録再生装置１は、指定された時刻以降であり且つ指定された時刻に最も近い「フレーム番号６」に対応するフレームを記憶手段４０から読み出して、表示手段５０に同時に（並べて）表示することが可能である。この場合、フレーム番号６が付与されているカメラ１０ａのフレーム（取り込み時刻：１３ｈ４５ｍ１２ｓ１９９ｍｓのフレーム）と、フレーム番号６が付与されているカメラ１０ｂのフレーム（取り込み時刻：１３ｈ４５ｍ１２ｓ２１９ｍｓのフレーム）とが表示される。
【００２８】
ＣＰＵ３０は、上記の２つのフレームを表示手段５０に表示するとともに、各フレームの取り込み時刻、またはフレーム間の時間差の少なくとも一方を同時に表示することが可能である。図６に示す例では、各フレームの取り込み時刻と、フレーム間の時間差との双方を同時に表示した例を示している。
例えば図６に示す例では、警備用車両の車外前方を撮影したカメラ１０ａのフレームと、車外後方を撮影したカメラ１０ｂのフレームに、決定的な瞬間が写されており、２つのフレーム間の時間差が＋２０ｍｓであることも明確に判る。これにより、決定的瞬間を写したフレームとしての証拠能力における欠点を補うことができる。
以上に説明したように、本発明の記録再生装置１を用いれば、よりシンプルな構成で、複数の撮像装置から次々と出力される画像データを順次記憶するとともに、撮像装置間における画像データの時間差に関する情報も再生時に確認することが可能となる。
なお、上記の説明では「取り込み時刻」を指定して表示手段５０に表示させる例を説明したが、「フレーム番号」を指定して表示手段５０に表示させることも可能である。
【００２９】
以上に説明した記録再生装置１では表示手段５０を備えている例を説明したが、表示手段５０を備えていなくてもよい。表示手段５０を備えていなくとも、記録再生装置１は、記録モードにおいて画像データを上記に説明したように記憶することが可能である。
また、表示手段５０を備えていなくとも、記録再生装置１は再生モードにおいて、記憶手段４０に記憶されている画像データを読み出して、異なるカメラ番号が付与されており且つ同じフレーム番号が付与されている画像データを同時に表示出力可能であるとともに、当該画像データに付与されている取り込み時刻、または当該取り込み時刻に基づいた時間差の少なくとも一方を、表示出力している画像データと同時に表示出力可能である。このとき、任意の表示手段５０を接続しておけば、表示出力されている表示内容を確認することができ、表示手段５０を選択する自由度が向上する。
【００３０】
本発明の記録再生装置１は、本実施の形態で説明した構成、動作、処理等に限定されず、本発明の要旨を変更しない範囲で種々の変更、追加、削除が可能である。
例えば、複数の警備用車両に記録再生装置１を搭載している場合、同定のための情報である識別データ（記録再生装置１に固有のＩＤであり、この場合は車両に固有のＩＤに相当する）を記憶している構成としてもよく、記録画像の再生の際には、表示手段５０にその識別データを表示させて、どの記録再生装置１での再生画像かが判るようにしてもよい。これにより、記録再生装置１で画像データを記憶した記憶手段４０を取り外して異なる記録再生装置１で再生した場合（例えば、警備用車両に搭載した記録再生装置１で記憶した記憶手段４０を取り外して本部の記録再生装置１に接続して再生した場合）、どの記録再生装置１で記憶した画像データであるか、明確に判る。
本実施の形態では、２台のカメラ（互いに非同期のカメラ１０ａ及びカメラ１０ｂ）を用いた例にて説明したが、３台以上のカメラ（互いに非同期）を用いた場合にも適用することができる。
フレーム一覧４０ａ及び４０ｂは、図５（Ｂ）及び（Ｃ）に示す例に限定されるものではない。
また、本実施の形態の説明に用いた数値等は一例であり、この数値等に限定されるものではない。
【産業上の利用可能性】
【００３１】
本発明の記録再生装置１は、監視装置等、複数の撮像装置からの画像データを記憶する種々の記録装置に適用することができる。
【図面の簡単な説明】
【００３２】
【図１】本発明の記録再生装置１の構成及び動作の例を説明する図である。
【図２】理想状態における画像データの入力状態を説明する図である。
【図３】本実施の形態における、フレーム周期Ｔａ＜フレーム周期Ｔｂの場合の記憶方法を説明する図である。
【図４】本実施の形態における、フレーム周期Ｔａ＞フレーム周期Ｔｂの場合の記憶方法を説明する図である。
【図５】フレーム一覧４０ａ及び４０ｂの例を説明する図である。
【図６】再生モードにおいて、カメラ毎のフレームとともに、フレーム間の時間差に関する情報を同時に表示する例を説明する図である。
【符号の説明】
【００３３】
１      記録再生装置
１０ａ、１０ｂ    カメラ（撮像装置）
３０    ＣＰＵ（制御手段）
４０    記憶手段
５０    表示手段
【図１】
2006115152.tif 000003
【図２】
2006115152.tif 000004
【図３】
2006115152.tif 000005
【図４】
2006115152.tif 000006
【図５】
2006115152.tif 000007
【図６】
2006115152.tif 000008